(57)【要約】【課題】吊りボルトを合理的且つ安全に振れ止めすることができる吊りボルト用振れ止め金具を提供する。【解決手段】外側挟着体１Ａの外側に重合するように設けられた重合板３Ａを設ける。重合板３Ａから屈曲され長ボルトＱの長手側面を保持する保持片３Ｂを設ける。重合板３Ａから屈曲され外側挟着体１Ａに圧着する圧着片３Ｃを設ける。斜め支持体３と挟着体１とを重ねて連結ボルト２にて連結する。連結ボルト２を中心に長ボルトＱの角度を調整自在にする。連結ボルト２の締付で長ボルトＱを挟着体１に圧着固定する。【選択図】  図１
2017072166.tif 000002
【特許請求の範囲】
【請求項１】
懸吊物を吊下げる吊りボルトの振れ止めをするように構成され、平面直角になるように屈曲された帯板状の外側挟着体と該外側挟着体の内側に重合される内側挟着体との間に吊りボルトを挟んだ状態で吊りボルトの側面に装着する挟着体と、
吊りボルトを挟んだ外側挟着体と内側挟着体との左右両端部を貫通して挟着体を固定する一対の連結ボルトと、
挟着体の左右両端部に上下揺動自在に連結せしめる長ボルトを挟着体に固定する一対の斜め支持体とを備えた吊りボルト用振れ止め金具において、
斜め支持体は、連結ボルトを挿通する貫通孔が開穿され外側挟着体の外側に重合するように設けられた重合板と、
該重合板の一端から外側挟着体がわに屈曲され長ボルトの長手側面を保持するように設けられた保持片と、
重合板の他端がわから外側挟着体がわに屈曲され外側挟着体に圧着する圧着片とが設けられ、
斜め支持体と挟着体とを重ねて連結ボルトにて連結することで該連結ボルトを中心に長ボルトの角度を調整自在にすると共に、該長ボルトを斜め支持体で挟着体に圧着固定するように構成したことを特徴とする吊りボルト用振れ止め金具。
【請求項２】
前記挟着体は、前記外側挟着体と前記内側挟着体とが連結部により連結され、該挟着体の連結部がわに予め片側の前記斜め支持体を前記連結ボルトで装着するように構成した請求項１記載の吊りボルト用振れ止め金具。
【請求項３】
前記斜め支持体において、前記重合板の前記長ボルト側面に当接する部位に、長ボルトのネジ山に係合する係合突起を突設した請求項１又は２記載の吊りボルト用振れ止め金具。
【発明の詳細な説明】
【技術分野】
【０００１】
本発明は、吊りボルトの振れ止めを極めて合理的且つ安全に行うことができる吊りボルト用振れ止め金具に関するものである。
【背景技術】
【０００２】
一般に、吊りボルトを使用して物品を懸吊した場合、地震等によって懸吊物が揺れないように、吊りボルトに振れ止め金具を装着している。例えば、天井設置用の空調機器のようなボックス状の懸吊物を４本の吊りボルトで吊下げる場合に、挟着体と斜め支持体とで構成された振れ止め金具が使用されている。この振れ止め金具では、吊りボルトに挟着体を挟み付けて固定すると共に、この挟着体に斜め支持体を介して吊りボルト相互に長ボルトを交差状に連結するものである。
【０００３】
従来の振れ止め金具は、長ボルトの連結端部にそれぞれ１個の挟着体が連結されていたので、４本の吊りボルトで吊下げる懸吊物等では振れ止め金具の部品点数が極めて多くなっており部品が落下する虞も多い。しかも、このような作業を天井等の高所で行っているので、作業上の危険性が極めて高いものであった。このような危険な作業を安全にするため、当出願人が先に提案した振れ止め金具が特許文献１及び特許文献２に記載されている。
【０００４】
すなわち、これらの振れ止め金具は、吊りボルトに挟着する挟着金具と長ボルトを連結する斜め支持体とを一体化することで、振れ止め金具の部品点数を極めて少なくするように構成したもので、高所での取付け作業を合理的、且つ安全に行うことができるようになっている。しかも、これらの振れ止め金具の有効性は、特に地震対策製品として優秀であることが公的に認められている。
【先行技術文献】
【特許文献】
【０００５】
【特許文献１】特許第５４６６２７４号公報
【特許文献２】特許第５７０１４２６号公報
【発明の概要】
【発明が解決しようとする課題】
【０００６】
ところが、特許文献１及び特許文献２に記載の振れ止め金具においても、吊りボルトに挟着金具をネジ止めする作業と、斜め支持体に長ボルトを連結する作業とが個別に行われている。そのため、例えばボックス状の懸吊物を４本の吊りボルトで吊下げる場合に、１本の吊りボルトに対して２本の長ボルトを連結する作業では、合計４箇所のネジ止め作業が必要になる。したがって、懸吊物を吊下げる４本の吊りボルトに振れ止めを行う場合、上下の連結位置を合計すると３２箇所ものネジ止め作業が必要になっていた。
【０００７】
しかも、斜め支持体に長ボルトを連結する場合、長ボルトの端部に固定ナットを装着して長ボルトの連結位置を調整しているので、この固定ナットを締め付け過ぎるなど、長ボルトの連結位置調整が適正でなければ、垂直に支持する吊りボルトが傾斜してしまう虞もあった。更に、長ボルトの端部に固定ナットを装着する作業自体に多くの手間を要する上に、端部に装着する固定ナットの位置に合わせて予め長ボルトを切断する必要もあった。このような様々な作業が長ボルトの固定作業を複雑化し、迅速な施工の妨げになっていた。
【０００８】
そこで本発明は、上述の特許文献１及び特許文献２に記載されている振れ止め金具の作業性を更に改良すべく創出されたもので、例えば空調機器等のボックス状の懸吊物を吊りボルトで吊下げる際に、吊りボルトの振れ止めを極めて合理的且つ安全に行うことが可能な吊りボルト用振れ止め金具の提供を目的とする。
【課題を解決するための手段】
【０００９】
上述の目的を達成すべく本発明における第１の手段は、懸吊物Ｒを吊下げる吊りボルトＰの振れ止めをするように構成され、平面直角になるように屈曲された帯板状の外側挟着体１Ａと該外側挟着体１Ａの内側に重合される内側挟着体１Ｂとの間に吊りボルトＰを挟んだ状態で吊りボルトＰの側面に装着する挟着体１と、吊りボルトＰを挟んだ外側挟着体１Ａと内側挟着体１Ｂとの左右両端部を貫通して挟着体を固定する一対の連結ボルト２と、挟着体１の左右両端部に上下揺動自在に連結せしめる長ボルトＱを挟着体１に固定する一対の斜め支持体３とを備えた吊りボルト用振れ止め金具において、斜め支持体３は、連結ボルト２を挿通する貫通孔３Ａａが開穿され外側挟着体１Ａの外側に重合するように設けられた重合板３Ａと、該重合板３Ａの一端から外側挟着体１Ａがわに屈曲され長ボルトＱの長手側面を保持するように設けられた保持片３Ｂと、重合板３Ａの他端がわから外側挟着体１Ａがわに屈曲され外側挟着体１Ａに圧着する圧着片３Ｃとが設けられ、斜め支持体３と挟着体１とを重ねて連結ボルト２にて連結することで該連結ボルト２を中心に長ボルトＱの角度を調整自在にすると共に、該長ボルトＱを斜め支持体３で挟着体１に圧着固定するように構成したことにある。
【００１０】
第２の手段において、前記挟着体１は、前記外側挟着体１Ａと前記内側挟着体１Ｂとが連結部１Ｃにより連結され、該挟着体１の連結部１Ｃがわに予め片側の前記斜め支持体３を前記連結ボルト２で装着するように構成している。
【００１１】
第３の手段は、前記斜め支持体３において、前記重合板３Ａの前記長ボルトＱ側面に当接する部位に、長ボルトＱのネジ山に係合する係合突起３Ａｂを突設したことにある。
【発明の効果】
【００１２】
本発明の請求項１のごとく、斜め支持体３と挟着体１とを重ねて連結ボルト２にて連結することで該連結ボルト２を中心に長ボルトＱの角度を調整自在にすると共に、該長ボルトＱを斜め支持体３で挟着体１に圧着固定するように構成したことにより、連結ボルト２のみの締付作業で長ボルトＱの角度を調整しながら吊りボルトＰに固定することができる。
【００１３】
この結果、従来では、懸吊物の四隅を吊下げる４本の吊りボルトに夫々２本の長ボルトＱを連結する場合、合計３２箇所ものネジ止め作業が必要になっていたのに対し、本発明では僅か１６箇所のネジ止め作業で完了する。したがって、吊りボルトの振れ止めを更に合理的且つ安全に行うことが可能になった。
【００１４】
また、従来のように、長ボルトの端部に固定ナットを装着して長ボルトの連結位置を調整する必要がなく、長ボルトＱの側面に沿った斜め支持体３を締め付けるだけの簡単な作業で長ボルトＱを最適な位置に固定することができる。更に、現場において長ボルトＱを切断する際に、端部に固定ナットをネジ止めする必要がないので、長さの精度は要求されず施工の迅速化に貢献できるものである。
【００１５】
請求項２のように、挟着体１は、外側挟着体１Ａと内側挟着体１Ｂとが連結部１Ｃにより連結され、該連結部１Ｃがわの挟着体１に予め片側の斜め支持体３を連結ボルト２で装着するように構成したことで、ネジ止め作業を更に簡略化し、高所での作業を安全にすることができる。
【００１６】
請求項３のごとく、斜め支持体３において、前記重合板３Ａの前記長ボルトＱ側面に当接する部位に、長ボルトＱのネジ山に係合する係合突起３Ａｂを突設したことにより、斜め支持体３と長ボルトＱとの固定強度を高めることができ、安全な使用が可能になる。
【図面の簡単な説明】
【００１７】
【図１】本発明の使用状態を示す斜視図である。
【図２】本発明の使用状態を示す分解斜視図である。
【図３】本発明の挟着体と斜め支持体とを連結した状態を示す平面図である。
【図４】本発明の挟着体の一実施例を示す平断面図である。
【図５】本発明の重合板の係合突起を示す要部拡大断面図である。
【図６】（イ）乃至（ハ）は本発明の斜め支持体の他の実施例を示す斜視図である。
【図７】本発明の使用状態を示す側面図である。
【図８】（イ）乃至（ハ）は本発明の装着手順を示す要部斜視図である。
【発明を実施するための形態】
【００１８】
本発明振れ止め金具は、例えば空調機等のボックス状の懸吊物Ｒの四隅を吊下げる４本の吊りボルトＰに対して長ボルトＱをブレース状に装着する振れ止め金具として使用する（図７参照）。
【００１９】
本発明の主な構成として、挟着体１、連結ボルト２、斜め支持体３を備えている（図１参照）。挟着体１は、吊りボルトＰの側面を挟着する一対の板状金具であり、外側挟着体１Ａと内側挟着体１Ｂとで構成されている。これら外側挟着体１Ａ及び内側挟着体１Ｂは、それぞれ吊りボルトＰに当接する長手中央から平面略直角になるように屈曲されている（図３参照）。
【００２０】
そして、１本の吊りボルトＰに挟着体１を取り付け、挟着体１の左右両端部がわに斜め支持体３を重合し、この斜め支持体３に計２本の長ボルトＱを傾斜した状態で連結する（図１参照）。外側挟着体１Ａと内側挟着体１Ｂとの左右両端部には、それぞれ貫通孔１Ａa、１Ｂaが開穿されている（図４参照）。これらの貫通孔１Ａa、１Ｂaに連結ボルト２を貫通させて固定する。
【００２１】
図示の挟着体１は、前記外側挟着体１Ａと前記内側挟着体１Ｂとが連結部１Ｃにより連結されている（図４参照）。更に、連結作業時において、この連結部１Ｃがわの挟着体１に、予め斜め支持体３を装着しておくことで作業効率を高めることができる（図８（イ）参照）。
【００２２】
また、外側挟着体１Ａには、吊りボルトＰに接触する部分に挟着突起１Ａｂを設けている（図４参照）。この挟着突起１Ａｂは、吊りボルトＰのねじ山に係止する突起で、外側挟着体１Ａの固定力を高めている。
【００２３】
連結ボルト２は、吊りボルトＰを挟んだ外側挟着体１Ａと内側挟着体１Ｂとの左右両端部を貫通して挟着体を固定する一対のネジ状部材である（図３参照）。図示例では、挟着体１の内側挟着体１Ｂ側から外側挟着体１Ａ及び斜め支持体３を貫通してネジ止めしている。連結ボルト２のネジ止め手段は、図３に示すごとく、斜め支持体３がわに配置する連結ナット４や、斜め支持体３に設けるブラインドナット（図示せず）等に連結ボルト２をネジ止めする他、斜め支持体３の貫通孔３Ａａにネジ山を形成し、斜め支持体３に直接ネジ止めすることも可能である（図示せず）。
【００２４】
斜め支持体３は、挟着体１の両端部に重合して夫々長ボルトＱを固定するように構成した圧着部材である（図１参照）。この斜め支持体３は、重合板３Ａ、保持片３Ｂ、圧着片３Ｃを備えている。
【００２５】
重合板３Ａは、連結ボルト２を挿通する貫通孔３Ａａが開穿され外側挟着体１Ａの外側に重合するように設けられた板状を成す（図１、図２参照）。図示の重合板３Ａは平面略三角形状を成しているが、この形状は任意に変更することができる。例えば図６に示す如く、矩形状（同図（イ）参照）や半円形状（同図（ロ）参照）、円形状（同図（ハ）参照）などのごとくである。
【００２６】
また、重合板３Ａの長ボルトＱ側面に当接する部位に係合突起３Ａｂを突設している（図２参照）。この係合突起３Ａｂは、長ボルトＱのネジ山に係合する突起で、重合板３Ａと外側挟着体１Ａとの間に挟着した長ボルトＱを強固に固定するものである（図５参照）。
【００２７】
保持片３Ｂは、重合板３Ａの一端から外側挟着体１Ａがわに屈曲された部位で、長ボルトＱの長手側面を保持するように設けられている（図１参照）。図示の保持片３Ｂは、重合板３Ａの端部を直角に屈曲した帯状であるが、この保持片３Ｂは重合板３Ａの形状に合わせて任意の形状に設けることができる（図６参照）。したがって、保持片３Ｂが長ボルトＱの長手側面に当接する部位は、保持片３Ｂが帯状の場合は面状になるが（図６（イ）、（ロ）参照）、この他、保持片３Ｂを円弧形状に形成した場合のように点状で当接させても良い（同図（ハ）参照）。
【００２８】
圧着片３Ｃは、重合板３Ａの他端がわから外側挟着体１Ａがわに屈曲された部位で、外側挟着体１Ａに当接して圧着する部位となる（図１参照）。この圧着片３Ｃも前述の保持片３Ｂと同様に重合板３Ａの形状に合わせて形成する（図６参照）。圧着片３Ｃが外側挟着体１Ａに当接する部位は、点状や線状、あるいは面状でも良い。
【００２９】
本発明では、斜め支持体３と挟着体１とを重ねて連結ボルト２にて連結することで該連結ボルト２を中心に長ボルトＱの角度を調整自在にする。またこの調整と共に、長ボルトＱを斜め支持体３で挟着体１に圧着固定する構成である。
【００３０】
長ボルトＱを連結する装着手順を図８に示している。まず、同図（イ）の如く、挟着体１を吊りボルトＰの所定位置に固定する。このとき、挟着体１の片側に斜め支持体３を装着した状態で挟着体１を吊りボルトＰに仮止めしておくと、更に作業を簡略化することができる。次に、同図（ロ）の如く、連結する長ボルトＱの角度に合わせて一方の斜め支持体３の圧着片３Ｃの角度を調整し、圧着片３Ｃの内側に長ボルトＱを係止する。そして、そのまま連結ボルト２を締め付けることで、一方の長ボルトＱが挟着体１に固定される。最後に同図（ハ）のごとく、他方の長ボルトＱも同様の手順で固定する。
【００３１】
このように、本発明では、１本の連結ボルト２で１本の長ボルトＱをネジ止めする作業で、長ボルトＱの角度調整作業と固定作業とを同時に行うように構成したものである。
【００３２】
尚、本発明振れ止め金具では、例えば空調機等のボックス状の懸吊物Ｒを懸吊する吊りボルトＰ用の振れ止め金具として説明しているが、吊りボルトＰで懸吊する懸吊物Ｒはこの例に限られるものではない。また、本発明の構成は図示例に限定されるものではなく、本発明の要旨を変更しない範囲での設計変更は自由である。
【符号の説明】
【００３３】
Ｐ  吊りボルト
Ｑ  長ボルト
Ｒ  懸吊物
１  挟着体
１Ａ  外側挟着体
１Ａa  貫通孔
１Ａｂ  挟着突起
１Ｂ  内側挟着体
１Ｂa  貫通孔
１Ｃ  連結部
２  連結ボルト
３  斜め支持体
３Ａ  重合板
３Ａａ  貫通孔
３Ａｂ  係合突起
３Ｂ  保持片
３Ｃ  圧着片
４  連結ナット
【図１】
2017072166.tif 000003
【図２】
2017072166.tif 000004
【図３】
2017072166.tif 000005
【図４】
2017072166.tif 000006
【図５】
2017072166.tif 000007
【図６】
2017072166.tif 000008
【図７】
2017072166.tif 000009
【図８】
2017072166.tif 000010